(57)【要約】【課題】モンキーレンチにおいて、所要位置にセットした可動顎が、被挟持物のボルトやナットの締緩時に動く事なく開口幅が変化しないようにする事。【解決手段】本体１２に開口幅Ｗを示す目盛２０が形成され、可動顎１３の根元部には雌ねじ１４が形成されており、又、調整部材１５には雄ネジ１６が形成されており、雌ネジ１４と雄ネジ１６とはセルフロック機能をもった状態で螺合していて、調整部材１５を回動させる事で可動顎１３は摺動する事で、所要位置に可動顎１３をセットする。【選択図】図１
2019038094.tif 000002
【特許請求の範囲】
【請求項１】
本体と一体の固定顎と前記本体に摺動可能に配設された可動顎とで開口幅部が形成され、該開口幅部でボルトやナットの被挟持物を挟持して、該被挟持物の締緩に用いられるモンキーレンチにおいて、
根元部に雌ねじ部が形成された前記可動顎と、前記雌ネジと螺合する雄ネジを有し本体に回動自在に設けられた調整部材とを備え、
前記調整部材を回動する事で前記可動顎を摺動させ、所要の開口幅になる位置に可動顎をセットし、ボルトやナットの被挟持物の締緩時に締緩力が前記可動顎に掛かっても、前記可動顎がセットした位置から動かないような、前記雌ねじと前記雄ねじとはセルフロック機能をもった螺合となっている事を特徴とするモンキーレンチ。
【発明の詳細な説明】
【技術分野】
【０００１】  本発明は、本体と一体の固定顎と、本体に摺動可能な状態で配設された可動顎とで形成される開口幅部で、ボルトやナットの被挟持物を挟持して、該被挟持物の締緩に用いられるモンキーレンチに関するものである。
【背景技術】
【０００２】  モンキーレンチは、本体と一体の固定顎と、固定顎に対して接近及び離間する方向に摺動可能な状態で本体に配設された可動顎とで形成される開口幅部（固定顎と可動顎との間隔部）で、被挟持物のボルト（主に六角ボルト）やナット（主に六角ナット）の二面幅（六角形の対辺の幅）部を挟持して、被挟持物の締緩作業に用いられる。【０００３】  従来のモンキーレンチは、本体に回動自在に配設されたウォームと、可動顎部に刻設されたラックとが噛合しており、ウォームを回動させる事で、可動顎を摺動させて、所要の開口幅になるように可動顎の位置をセットしている。【０００４】  特許文献１では、可動顎に固着された板ばね部の突起部をレンチ本体に形成された嵌合凹部に嵌合させる事で、可動顎を所要位置にセットし同時にずれ防止をする技術が開示される。【０００５】  特許文献２では、開口幅を示す目盛がレンチ本体に刻印され、可動顎部に配設されスプリングで付勢された係止ボールが、レンチ本体に凹設された係止凹部で係止され、可動顎を所要位置にロックしてセットする技術が開示される。
【先行技術文献】
【特許文献】
【０００６】
【特許文献１】特開２０１３−８２０４６
【特許文献２】実開昭６０−１９４４６９
【発明の概要】
【発明が解決しようとする課題】
【０００７】  従来のモンキーレンチでは、可動顎の摺動機構を構成するウォームのセルフロック性が充分ではないので、被挟持物のボルトやナットを締緩する際に締緩力が可動顎に掛かり可動顎を広げようとする力が生じると、可動顎がセットした位置から動いてしまい、開口幅が変わってしまうので、被挟持物のボルトやナットを正常に挟持する事が出来なくなり、締緩作業に支障をきたすという問題が発生する。【０００８】  そこで、特許文献１では、可動顎に固着された板ばね部の突起部をレンチ本体に形成された嵌合凹部に嵌合させて、可動顎を所要の位置にセットすると同時に被挟持物のボルトやナットの締緩時に可動顎が動いてしまう事を防ごうとしている。【０００９】  ここで、板ばねが強くない時には可動顎は容易に摺動でき、開口幅のセットも容易にできるが、しかし、被挟持物のボルトやナットの締緩時に可動顎がセットした位置から動かないようにする為には、板ばねの強さを強くする必要があり可動顎を摺動させる操作がしにくくなるという問題がある。【００１０】  また、特許文献２では、スプリングに拠り付勢された係止ボールをレンチ本体に凹設された凹部で係止させて、可動顎を所要の目盛位置でロックしセットすると同時に、被挟持物のボルトやナットの締緩時に可動顎が動いてしまう事を防ごうとしている。【００１１】  ここで、スプリングの付勢力が強くない時には可動顎は容易に摺動でき、開口幅のセットも容易であるが、被挟持物のボルトやナットの締緩時に可動顎がセットした位置から動かないようにする為には、スプリングの係止ボールへの付勢力を強くする必要があり、可動顎の操作がしにくくなるという特許文献２と同様な問題がある。【００１２】  本発明は、モンキーレンチの上記問題に鑑み、被挟持物のボルトやナットの締緩時に、締緩力により可動顎を広げようとする力が掛かっても、可動顎が動く事なくセットした開口幅が変化しないモンキーレンチに関するものである。
【課題を解決するための手段】
【００１３】  前記課題を解決する本発明のモンキーレンチは、本体と一体の固定顎と前記本体に摺動可能に配設された可動顎とで開口幅部が形成され、該開口幅部でボルトやナットの被挟持物を挟持して、該被挟持物の締緩に用いられるモンキーレンチにおいて、根元部に雌ねじ部が形成された前記可動顎と、前記雌ネジと螺合する雄ネジを有し本体に回動自在に設けられた調整部材とを備え、前記調整部材を回動する事で前記可動顎を摺動させ、所要の開口幅になる位置に可動顎をセットし、ボルトやナットの被挟持物の締緩時に締緩力が前記可動顎に掛かっても、前記可動顎がセットした位置から動かないような、前記雌ねじと前記雄ねじとはセルフロック機能をもった螺合となっている事を特徴とするものである。
【発明の効果】
【００１４】  上述のように構成されたモンキーレンチでは、被挟持物のボルトやナットの締緩時に、締緩力により可動顎を広げようとする力が可動顎に掛かっても、可動顎は開口幅が広がる方向には動く事がないので、セットした開口幅が変化する事が無い。
【図面の簡単な説明】
【００１５】
【図１】本発明の第１の実施の形態に係るモンキーレンチの要部を断面して示した正面図である。
【図２】図１のＡ−Ａ断面図である。
【図３】本発明の第１の実施の形態に係るモンキーレンチの本体外面に目盛を刻印した状態を示した正面図である。
【発明を実施するための形態】
【００１６】  本発明によるモンキーレンチの実施形態を、添付の図面を参照してこれを説明する。
【００１７】  図１から図３は、本発明の第１の実施の形態を示し、図１はモンキーレンチの要部を断面して示した正面図であり、図２は図１のＡ−Ａ断面図であり、図３はモンキーレンチの本体外面に目盛を刻印した状態を示した正面図である。
【００１８】  図１乃至図３に示すように、モンキーレンチ１０は本体１２と、該本体１２と一体の固定顎１１と、本体１２に摺動可能な状態に配設された可動顎１３と、本体１２に回動可能状態で配設された調整部材１５とを備えている。
【００１９】  本体１２の根元側は被挟持物のボルトやナットの締緩作業の際に作業者が握るグリップ１７で、本体１２の先端部には固定顎１１が形成されており、更に、本体１２にはスリット１９と連通する摺動孔１８が凹設されていて、該摺動孔１８には可動顎１３の根元部が摺動可能状態で挿入されており、固定顎１１と可動顎１３とで開口幅Ｗを形成している。
【００２０】  可動顎１３の根元部には雌ねじ１４が形成されており、又、調整部材１５には雄ネジ１６が形成されており、雌ネジ１４と雄ネジ１６とはセルフロック機能をもった状態で螺合していて、調整部材１５を回動させる事で可動顎１３は摺動する。
【００２１】  セルフロック機能状態で螺合する雌ネジ１４と雄ネジ１６のリード角は、小さいとセルフロック性は良くなるが、調整部材１５の１回転当たりの可動顎１３の摺動量が少ないものとなり、可動顎１３を所要位置にセットする時に、調整部材１５の回動数が多くなり操作するのに時間を要する。
反対に、雌ネジ１４と雄ネジ１６のリード角が大きいとセルフロック性が劣る事になる。
【００２２】  螺合部や調整部材１５の条件によって異なるが、雌ネジ１４と雄ネジ１６のリード角は０．５°〜４°が例示される。
又、ネジ山の形状は三角ネジ、角ネジや台形ネジが例示される。
【００２３】  図３に示すように本体１２の外面に刻印されている目盛２０は開口幅Ｗに対応するようになっている。
目盛２０はボルトやナットの二面幅そのものの数字で表示しても良いし、ボルトやナットのサイズで表示しても良いし両方を併記しても良い。
【００２４】  従って、開口幅Ｗに対応して刻印されている目盛２０を見ながら、調整部材１５を回動させる事で、被挟持物のボルトやナットの二面幅に対応した所要位置に可動顎１３をセットする事が容易に出来る。
【００２５】  雌ねじ１４と雄ネジ１６はセルフロック機能があるので、被挟持物のボルトやナットの締緩時に可動顎１３を広げようとする力が掛かっても、所要位置にセットされた可動顎１３に動く事がなく開口幅が変化する事がない。
【００２６】  以上、本発明の実施の形態を説明したが、上記に記載した実施の形態は特許請求の範囲に掛かる発明を限定するものではない。また、実施の中で説明した特徴の全てが発明の課題を解決するための手段に必須であるとは限らない点に留意すベきである。
【符号の説明】
【００２７】  １０  モンキーレンチ
１１  固定顎
１２  本体
１３  可動顎
１４  雌ネジ
１５  調整部材
１６  雄ネジ
１７  グリップ
１８  摺動孔
１９  スリット
２０  目盛
【図１】
2019038094.tif 000003
【図２】
2019038094.tif 000004
【図３】
2019038094.tif 000005